(57)【要約】【課題】  本発明は、ユーザが自分のペンライト装置を操作しなくても、当該ペンライト装置の発光状態に対して、自装置の位置に応じた制御を行うことができるペンライトシステムを提供することを目的とする。【解決手段】  それぞれ相互に一定距離だけ離間するようにして配置され、位置測定用の基準信号を発生する少なくとも３つ以上の基準信号発生装置６０Ａ〜６０Ｃと、各基準信号発生装置６０Ａ〜６０Ｃからそれぞれ発生された各基準信号に基づいて、自装置の位置情報を生成する位置測定部５０と、外部から与えられた発光制御信号及び位置情報に基づいて、発光部４０の発光状態を制御する発光制御部３０とを有するペンライト装置１０とを備える。【選択図】  図１
2019053861.tif 000002
【特許請求の範囲】
【請求項１】
それぞれ相互に一定距離だけ離間するようにして配置され、位置測定用の基準信号を発生する少なくとも３つ以上の基準信号発生装置と、
前記各基準信号発生装置からそれぞれ発生された前記各基準信号に基づいて、自装置の位置情報を生成する位置測定部と、外部から与えられた発光制御信号及び前記位置情報に基づいて、発光部の発光状態を制御する発光制御部とを有するペンライト装置と
を備えることを特徴とするペンライトシステム。
【請求項２】
前記ペンライト装置は、
前記基準信号を発生する基準信号発生部
をさらに備えることを特徴とする請求項１に記載のペンライトシステム。
【発明の詳細な説明】
【技術分野】
【０００１】
本発明は、ペンライトシステムに関する。
【背景技術】
【０００２】
従来、音楽のコンサートなどにおいて、観客が使用するペンライト装置として、種々の装置が開発及び提案されている（例えば、特許文献１参照）。
【先行技術文献】
【特許文献】
【０００３】
【特許文献１】実用新案登録第３１９３１９６号公報
【発明の概要】
【発明が解決しようとする課題】
【０００４】
本発明は、ユーザが自分のペンライト装置を操作しなくても、当該ペンライト装置の発光状態に対して、自装置の位置に応じた制御を行うことができるペンライトシステムを提供することを目的とする。
【課題を解決するための手段】
【０００５】
本発明の一態様によるペンライトシステムは、
それぞれ相互に一定距離だけ離間するようにして配置され、位置測定用の基準信号を発生する少なくとも３つ以上の基準信号発生装置と、
前記各基準信号発生装置からそれぞれ発生された前記各基準信号に基づいて、自装置の位置情報を生成する位置測定部と、外部から与えられた発光制御信号及び前記位置情報に基づいて、発光部の発光状態を制御する発光制御部とを有するペンライト装置と
を備える。
【発明の効果】
【０００６】
本発明のペンライトシステムによれば、ユーザが自分のペンライト装置を操作しなくても、当該ペンライト装置の発光状態に対して、自装置の位置に応じた制御を行うことができる。
【図面の簡単な説明】
【０００７】
【図１】本発明の実施の形態によるペンライト装置の構成を示すブロック図である。
【図２】本発明の実施の形態によるペンライトシステムの構成を示すブロック図である。
【発明を実施するための形態】
【０００８】
以下、本発明の実施の形態について図面を参照して説明する。
【０００９】
図１（ａ）は、本発明の実施の形態によるペンライト装置１０の構成を示し、図２（ａ）は、本発明の実施の形態によるペンライトシステム７０の構成を示す。
【００１０】
ペンライト装置１０は、コンサートなどのイベント会場において、観客が携帯して使用する棒状の装置である。
【００１１】
本実施の形態の場合、イベント主催者が管理する制御装置（図示せず）を用いて、各ペンライト装置１０の発光状態をそれぞれ制御することにより、音楽の変化に対応するようにして、いわゆる人文字に相当する演出を行い得るようになされている。
【００１２】
具体的には、ペンライト装置１０は、イベント主催者が管理する制御装置（図示せず）から供給される無線制御信号を通信処理部２０によって受信すると、これを発光制御信号として発光制御部３０に送出する。
【００１３】
発光制御部３０は、通信処理部２０から与えられた発光制御信号に基づいて、発光部４０の発光状態を制御する。この発光部４０は、例えばＬＥＤや液晶パネルなどからなり、点灯や色、照度などの発光状態を適宜変更する。
【００１４】
ところで、イベント会場には、ペンライト装置１０の位置を測定するための位置測定用の基準信号を発生する複数の基準信号発生装置６０が、それぞれ相互に一定距離だけ離間するようにして、当該イベント会場の全体にわたって一様に配置されている。
【００１５】
ペンライト装置１０の位置測定部５０は、イベント会場に配置されている複数の基準信号発生装置６０のうち、ペンライト装置１０の近傍に配置されている基準信号発生装置６０Ａ〜６０Ｃからそれぞれ発生された各基準信号に基づいて、いわゆる３点測位法によるデータ処理を行うことにより、ペンライト装置１０の位置情報を取得する。
【００１６】
具体的には、位置測定部５０は、基準信号発生装置６０Ａ〜６０Ｃからそれぞれ発生された各基準信号の信号強度をそれぞれ測定し、これら各基準信号の信号強度に基づいて、基準信号発生装置６０Ａ〜６０Ｃからペンライト装置１０までの各距離をそれぞれ算出することにより、ペンライト装置１０の位置情報を生成する。
【００１７】
なお、この位置測定用の基準信号としては、例えば電波信号や光信号、音波信号など、他の種々の基準信号を適用することができる。また、ペンライト装置１０の位置情報としては、２次元（平面）上の位置情報はもちろんのこと、高さを含む３次元上の位置情報を生成するようにしても良い。
【００１８】
発光制御部３０は、位置測定部５０によって取得された当該ペンライト装置１０の位置情報と、通信処理部２０から与えられた発光制御信号とに基づいて、発光部４０の発光状態を制御する。すなわち、発光制御部３０は、通信処理部２０から与えられた発光制御信号のうち、自装置の位置に対応する発光制御信号に基づいて、発光部４０の発光状態を制御する。
【００１９】
このように本実施の形態によれば、ユーザが自分のペンライト装置１０を操作しなくても、当該ペンライト装置１０の発光状態に対して、自装置の位置に応じた制御を行うことができ、従って、ユーザが操作することなく、他のペンライト装置と協働するようにして会場全体の演出を行うことができる。
【００２０】
すなわち、ペンライト所持者と、演出者や主催者などが個別に設定等を行わなくとも、位置測位を行うことができる。
【００２１】
なお、上述の実施の形態においては、複数の基準信号発生装置６０をイベント会場の全体にわたって均等に配置した場合について述べたが、本発明はこれに限らず、複数の基準信号発生装置６０を配置すると共に、ペンライト装置の内部に、位置測定用の基準信号を発生する基準信号発生部を設けるようにしても良い。
【００２２】
ここで、図１（ａ）との対応部分に同一符号を付して示す図１（ｂ）は、当該他の実施の形態によるペンライト装置１００の構成を示し、図２（ａ）との対応部分に同一符号を付して示す図２（ｂ）は、当該他の実施の形態によるペンライトシステム１２０の構成を示す。
【００２３】
このペンライト装置１００は、位置測定用の基準信号を発生する基準信号発生部１１０を内部に有する。
【００２４】
従って、例えば図２（ｂ）に示すように、基準信号発生装置６０Ａから発生された基準信号が減衰して測定対象のペンライト装置１００Ｂに到達しない場合には、ペンライト装置１００Ｂの近傍に位置する他のペンライト装置１００Ａから発生された基準信号と、基準信号発生装置６０Ｂ及び６０Ｃからそれぞれ発生された各基準信号とに基づいて、いわゆる３点測位法によるデータ処理を行うことにより、ペンライト装置１００Ｂの位置情報を取得する。
【００２５】
具体的には、ペンライト装置１００Ｂの位置測定部５０は、他のペンライト装置１００Ａから発生された基準信号の信号強度を測定すると共に、基準信号発生装置６０Ｂ及び６０Ｃからそれぞれ発生された各基準信号の信号強度をそれぞれ測定し、これら各基準信号の信号強度に基づいて、他のペンライト装置１００Ａからペンライト装置１００Ｂまでの距離と、基準信号発生装置６０Ｂ及び６０Ｃからペンライト装置１００Ｂまでの各距離とをそれぞれ算出することにより、ペンライト装置１００Ｂの位置情報を生成する。
【００２６】
また、上述の実施の形態においては、３つの基準信号発生装置６０Ａ〜６０Ｃからそれぞれ発生された各基準信号に基づいて、ペンライト装置１０の位置情報を生成する場合について述べたが、本発明はこれに限らず、例えば４つの基準信号発生装置など、要は、少なくとも３つ以上の基準信号発生装置からそれぞれ発生された各基準信号に基づいて、ペンライト装置１０の位置情報を生成する場合に本発明を広く適用することができる。
【００２７】
すなわち、この場合、ペンライトシステム７０は、それぞれ相互に一定距離だけ離間するようにして配置され、位置測定用の基準信号を発生する少なくとも３つ以上の基準信号発生装置６０Ａ〜６０Ｃと、各基準信号発生装置６０Ａ〜６０Ｃからそれぞれ発生された各基準信号に基づいて、自装置の位置情報を生成する位置測定部５０と、外部から与えられた発光制御信号及び位置情報に基づいて、発光部４０の発光状態を制御する発光制御部３０とを有するペンライト装置１０とを備える。
【００２８】
また、この場合、ペンライト装置１００は、基準信号を発生する基準信号発生部１１０をさらに備える。
【符号の説明】
【００２９】
１０、１００  ペンライト装置
２０  通信処理部
３０  発光制御部
４０  発光部
５０  位置測定部
６０  基準信号発生装置
１１０  基準信号発生部
【図１】
2019053861.tif 000003
【図２】
2019053861.tif 000004